(57)【要約】      （修正有）【課題】椅子部材を増減することによって、一人用、二人用、三人用、それ以上の人数に対応することができる結果、使用人数に合わせて前記椅子部材を購入すれば良く従来のようにソファを別途に購入する必要はない。一般家庭において家族構成が変わっても、使用していたソファがそのまま使えるため、従来と異なり資源の無駄使いにはならず、また、使用者にとっては新規にソファを購入する必要がないため経済的に救済される。【解決手段】座部１１と背凭れ部１２とを略直角状に配置することにより椅子部材１０を構成し、この椅子部材の両側面に隣接する椅子部材又は肘掛部材を連結可能に設置した連結自在ソファである。【選択図】図２
2013094271.tif 000002
【特許請求の範囲】
【請求項１】
座部と背凭れ部とを略直角状に配置することにより椅子部材を構成し、この椅子部材の両側面に隣接する椅子部材又は肘掛部材を連結可能に設置したことを特徴とする連結自在ソファ。
【請求項２】
前記椅子部材および前記肘掛部材における連結具の配置は対向する位置であることを特徴とする請求項１の連結自在ソファ。
【請求項３】
前記椅子部材における座部と背凭れ部との連設部に断部を設け、この断部の水平面に背凭れ用クッション部材を載置するとともに座部用クッション部材をこの断部の垂直面に当接させた状態で前記座部に載置させたことを特徴とする請求項１又端請求項２の連結自在ソファ。
【請求項４】
前記座部用クッション部材は連結した複数の椅子部材における全座部に及んでいることを特徴とする請求項３の連結自在ソファ。
【発明の詳細な説明】
【技術分野】
【０００１】
この発明は連結自在ソファに関し、主として、一般家庭で使用されるものである。
【背景技術】
【０００２】
現代における一般家庭の生活において、ソファは主として居間に設置され、家族団欒の場所を提供している。
【０００３】
このような要請に応えるため、従来におけるソファは用途に合わせ一人用、二人用、三人用として製造販売されていた。
【０００４】
このため、一般家庭では、家族構成が変わった場合、その構成に合わせてソファを買い換えるのが常であった。
【０００５】
【特許文献１】特開平０９−３３６３０６号公報
【発明の開示】
【発明が解決しようとする課題】
【０００６】
しかしながら、従来のようにソファを買い換えると，不用になったソファは廃棄され資源の無駄になるとともに使用者にとっては新規ソファを購入しなければならないため、経済的に大変であるという不都合を有した。
【０００７】
この発明の課題は前記不都合を解消することである。
【課題を解決するための手段】
【０００８】
この課題を達成するために、この発明に係る連結自在ソファにおいては、座部と背凭れ部とを略直角状に配置することにより椅子部材を構成し、この椅子部材の両側面に隣接する椅子部材又は肘掛部材を連結可能に設置したものである。
【０００９】
この場合、前記椅子部材および前記肘掛部材における連結具の配置を対向する位置にすることができる。
【００１０】
また、前記椅子部材における座部と背凭れ部との連設部に断部を設け、この断部の水平面に背凭れ用クッション部材を載置するとともに座部用クッション部材をこの断部の垂直面に当接させた状態で前記座部に載置させることもできる。
【００１１】
さらに、前記座部用クッション部材は連結した複数の椅子部材における全座部に及ぶようにすることもできる。
【発明の効果】
【００１２】
この発明に係る連結自在ソファは上記のように構成されているため、即ち、座部と背凭れ部とを略直角状に配置することにより椅子部材を構成し、この椅子部材の両側面に隣接する椅子部材又は肘掛部材を連結可能に設置したため、前記椅子部材を増減することによって、一人用、二人用、三人用、それ以上の人数に対応することができる結果、使用人数に合わせて前記椅子部材を購入すれば良く従来のようにソファを別途に購入する必要はないものである。
【００１３】
よって、この連結自在ソファを使用すれば、一般家庭において家族構成が変わっても、使用していたソファがそのまま使えるため、従来と異なり資源の無駄使いにはならず、また、使用者にとっては新規にソファを購入する必要がないため経済的に救済されるものである。
【００１４】
この場合、前記椅子部材および前記肘掛部材における連結具の配置を対向する位置にすれば、ワンタッチで椅子部材同士又は椅子部材と肘掛部材とを連結・解除ができるものである。
【００１５】
また、前記椅子部材における座部と背凭れ部との連設部に断部を設け、この断部の水平面に背凭れ用クッション部材を載置するとともに座部用クッション部材をこの断部の垂直面に当接させた状態で前記座部に載置させれば、背凭れ用クッション部材及び座部用クッション部材を前記椅子部材に安定良く設置し易いものである。
【００１６】
さらに、前記座部用クッション部材は連結した複数の椅子部材における全座部に及ぶようにすれば、椅子部材を新たに連結した場合に、この座部用クッション部材をも取り替えることにより、使用者に対して恰も新しいソファを購入したかの如き印象を与えることができる。
【発明を実施するための最良の形態】
【００１７】
この発明に係る「連結自在ソファ」において、椅子部材及び肘掛部材は通常のソファのように製造される。
【００１８】
「連結具」は一対が一組として使用されるものであれば、いかなるものでもよい。また、椅子部材又は肘掛部材に一体的に設置されているものも含まれる。
【００１９】
「背凭れ用クッション部材」及び「座部用クッション部材」は面ファスナー等によって着脱可能に設置されている。
【実施例１】
【００２０】
以下、図面に基づいてこの発明の実施例を説明する。
【００２１】
図１はこの発明に係る連結自在ソファの実施例の斜視図、図２は図１における椅子部材同士を分離した状態の斜視図、図３は同椅子部材と右側の肘掛部材とを分離した状態の斜視図、図４は同椅子部材と左側の肘掛部材とを分離した状態の斜視図である。
【００２２】
図１において、Ｓは連結自在ソファであり、３つの椅子部材１０，１０、１０と右側肘掛部材２０と左側肘掛部材３０とから構成されている。なお、前記右側肘掛部材２０及び前記左側肘掛部材３０はこの発明における「肘掛部材」に相当する。
【００２３】
図２に基づいて、前記椅子部材１０と椅子部材１０との関係について説明する。
【００２４】
図において、１１は前記椅子部材１０の座部、１２は同背凭れ部である。これらの座部１１と背凭れ部１２とは略垂直状に一体形成されている。１３は段部であり、前記椅子部材１０における前記座部１１と前記背凭れ部１２との連設部に形成されている。この段部１３は前記椅子部材１０の幅方向に延びている。
【００２５】
４０は座部クッションであり、前記椅子部材１０の座部１１に面ファスナー等によって着脱可能の状態で載置されている。この座部クッション４０の背面は前記断部１３の垂直面に当接している。５０は背凭れクッションであり、前記椅子部材１０における前記断部１３の水平面に面ファスナー等によって着脱可能の状態で載置されている。この背凭れクッション５０の背面は前記椅子部材１０の背凭れ部１２に当接している。
【００２６】
１４，１４，…は上向連結具であり、前記椅子部材１０の右側面に設置されている。また、１５，１５，…は下向連結具であり、前記椅子部材１０の左側面に設置されている。これらの上向連結具１４と下向連結具１５とを掛け止めしたり、掛け止めを解除したりすることによって、一対の椅子部材１０，１０を連結したり分離したりすることができる。これらの上向連結具１４と下向連結具１５とは、互いに対向する位置に設置されているため、前記賭け止め及びその解除をワンタッチで行うことができる。
【００２７】
なお、１６，１６，…は脚部であり、前記椅子部材１０における前記座部１１の下面に突設されている。
【００２８】
図３に基づいて、前記椅子部材１０と右側肘掛部材２０との関係について説明する。
【００２９】
図において、２１，２１，…は下向連結具であり、前記右側肘掛部材２０の内側面に設置されている。この下向連結具２１を前記椅子部材の上向連結具１４に掛け止めしたり、掛け止めを解除したりすることによって、椅子部材１０と右側肘掛部材２０とを連結したり分離したりすることができる。なお、この下向連結具２１は前記椅子部材１０の上向連結具１４と、互いに対向する位置に設置されているため、前記掛け止め及びその解除をワンタッチで行うことができる。
【００３０】
図４に基づいて、前記椅子部材１０と左側肘掛部材３０との関係について説明する。
【００３１】
図において、３１，３１，…は上向連結具であり、前記左側肘掛部材３０の内側面に設置されている。この上向連結具３１を前記椅子部材１０の下向連結具１５に掛け止めしたり、掛け止めを解除したりすることによって、椅子部材１０と左側肘掛部材３０とを連結したり分離したりすることができる。なお、この上向連結具３１は前記椅子部材１０の下向連結具１５と、互いに対向する位置に設置されているため、前記掛け止め及びその解除をワンタッチで行うことができる。
【００３２】
なお、前記した互いに対向する上向連結具と下向連結具は逆に設置することもできる。
【００３３】
また、前記座部クッション４０は図１に示すように、連結された全椅子部材１０，１０，…の全座部１１，１１，…に及ばせることができる。
【産業上の利用可能性】
【００３４】
この発明に係る連結自在ソファは、前記椅子部材を増減することによって、一人用、二人用、三人用、それ以上の人数に対応することができる結果、使用人数に合わせて前記椅子部材を購入すれば良く従来のようにソファを別途に購入する必要はない。一般家庭において家族構成が変わっても、使用していたソファがそのまま使えるため、従来と異なり資源の無駄使いにはならず、また、使用者にとっては新規にソファを購入する必要がないため経済的に救済される。よって、利用可能性は極めて高いものである。
【図面の簡単な説明】
【００３５】
【図１】図１はこの発明に係る連結自在ソファの実施例の斜視図である。
【図２】図２は図１における椅子部材同士を分離した状態の斜視図である。
【図３】図３は同椅子部材と右側の肘掛部材とを分離した状態の斜視図である。
【図４】図４は同椅子部材と左側の肘掛部材とを分離した状態の斜視図である。
【符号の説明】
【００３６】
Ｓ  …  連結自在ソファ
１０  …  椅子部材
２０  …  右側肘掛部材（肘掛部材）
３０  …  左側肘掛部材（肘掛部材）
１１  …  座部
１２  …  背凭れ部
１３  …  段部
４０  …  座部クッション
５０  …  背凭れクッション
１４  …  上向連結具（椅子部材の）
１５  …  下向連結具（椅子部材の）
１６  …  脚部
２１  …  下向連結具（右側肘掛部材の）
３１  …  上向連結具（左側肘掛部材の）
２１  …  下向連結具（右側肘掛部材の）
【図１】
2013094271.tif 000003
【図２】
2013094271.tif 000004
【図３】
2013094271.tif 000005
【図４】
2013094271.tif 000006